(57)【要約】  【課題】  タグ情報管理システムにおいて、プライバシーに対するセキュリティを確保可能な技術を提供する。  【解決手段】  非接触タグが出力するタグ情報を容易には判読されない情報とし、該タグ情報の読み出しを許可する鍵情報をＩＣカードにもたせ、該ＩＣカードが端末に接続された状態で、上記鍵情報に基づき、上記非接触タグのタグ情報が上記端末によって読み出された後、上記ＩＣカードに入力され、該ＩＣカードによって解読される構成とする。【選択図】  図１
2006164019.tif 000002
【特許請求の範囲】
【請求項１】
非接触タグのタグ情報を端末を介し管理するタグ情報管理システムであって、
上記非接触タグに電波を無線送信して該非接触タグを作動させ、該非接触タグからタグ情報を読み出す端末と、
上記端末の上記タグ情報の読み出しを許可する鍵情報が記憶されたＩＣカードと、
を備え、上記ＩＣカードが上記端末に接続された状態で、上記鍵情報に基づき、上記非接触タグのタグ情報が読み出され、上記ＩＣカードに入力可能となる構成を特徴とするタグ情報管理システム。
【請求項２】
上記ＩＣカードは、上記入力されたタグ情報の解読と暗号化が可能な構成を備える請求項１に記載のタグ情報管理システム。
【請求項３】
上記ＩＣカードは、上記鍵情報として、暗証番号情報または暗号鍵情報を有する請求項１に記載のタグ情報管理システム。
【請求項４】
上記ＩＣカードは、暗号化したタグ情報を記憶可能な構成である請求項２に記載のタグ情報管理システム。
【請求項５】
上記非接触タグから出力されるタグ情報の少なくとも一部は電子情報列で形成され、上記ＩＣカードまたは該ＩＣカード及び上記非接触タグに記憶される請求項１に記載のタグ情報管理システム。
【請求項６】
上記非接触タグ及び上記ＩＣカードは、該非接触タグが上記タグ情報を出力するための暗号鍵が記録され、該非接触タグに該暗号鍵を書き込む際に該非接触タグが出力するタグ固有の番号を変化させる請求項５に記載のタグ情報管理システム。
【請求項７】
非接触タグのタグ情報を管理するタグ情報管理システム用の端末であって、
上記非接触タグとの間で通信を行う第１の通信手段と、該非接触タグからタグ情報を読み出すための鍵情報を有するＩＣカードとの間で通信を行う第２の通信手段と、上記非接触タグに電力生成を行わせ作動状態にするための信号を形成する手段とを備え、該非接触タグに上記信号を出力して該非接触タグを作動させ、該非接触タグからタグ情報を、上記ＩＣカードの上記鍵情報に基づいて読み出し、該ＩＣカードに入力する構成としたことを特徴とする端末。
【請求項８】
非接触タグのタグ情報を管理するタグ情報管理システム用の端末であって、
上記非接触タグに電力生成を行わせ作動状態にするための信号を形成するとともに、該非接触タグとの間で通信を行う第１の通信手段と、
上記非接触タグからタグ情報を読み出すための鍵情報を有するＩＣカードとの間で通信を行う第２の通信手段と、
上記第１、第２の通信手段と接続され、情報処理を行う情報処理手段と、
を備え、上記非接触タグを作動させて該非接触タグからタグ情報を、上記ＩＣカードの上記鍵情報に基づいて読み出し、該ＩＣカードに入力する構成としたことを特徴とする端末。
【請求項９】
タグ情報を有する非接触タグであって、
端末側からの第１の信号に基づき電力を生成する電力生成手段と、
上記端末側からの第２の信号を指示情報として受信する情報受信手段と、
上記タグ情報を記憶する記憶手段と、
上記情報受信手段からの出力に応じ演算処理を行い、上記記憶手段に対し、記憶されたタグ情報の読み出しまたは新たなタグ情報の供給を行う演算処理手段と、
上記読み出したタグ情報を上記端末側に送信する情報送信手段と、
を備え、タグ情報の読み出しまたは書き替えを可能にした構成を特徴とする非接触タグ。
【請求項１０】
上記記憶手段に記憶された上記タグ情報または新たに記憶される上記タグ情報は、暗号化されたタグ情報である請求項９に記載の非接触タグ。
【請求項１１】
非接触タグのタグ情報を管理するタグ情報管理システム用のＩＣカードであって、
上記非接触タグから上記タグ情報が読み出されることを許可する鍵情報を記憶するとともに、該ＩＣカードが接続された端末に対して該鍵情報を出力する構成を備え、上記鍵情報により上記非接触タグからの上記タグ情報の読み出しを可能にすることを特徴とするＩＣカード。
【請求項１２】
非接触タグのタグ情報を管理するタグ情報管理システム用のＩＣカードであって、
上記非接触タグから読み出された暗号化されたタグ情報を解読する解読手段と、
上記非接触タグから上記タグ情報が読み出されることを許可する鍵情報を記憶する記憶手段と、
を備え、上記鍵情報により上記非接触タグからの上記タグ情報の読み出しを可能にするとともに、暗号化情報を解読することを特徴とするＩＣカード。
【請求項１３】
非接触タグのタグ情報を管理するタグ情報管理システム用のＩＣカードであって、
上記非接触タグから読み出されたタグ情報を暗号化する暗号化手段と、
暗号化されたタグ情報を解読する解読手段と、
上記非接触タグから上記タグ情報が読み出されることを許可する鍵情報及び上記暗号化されたタグ情報を記憶する記憶手段と、
該ＩＣカードが接続された端末に対して上記鍵情報を出力するインターフェース部と、
を備え、上記鍵情報により上記非接触タグからの上記タグ情報の読み出しを可能にし、暗号化情報を解読するとともに、上記読み出されたタグ情報を暗号化して記憶することを特徴とするＩＣカード。
【請求項１４】
上記鍵情報は、暗証番号情報または暗号鍵情報である請求項１１、１２または１３に記載のＩＣカード。
【請求項１５】
非接触タグのタグ情報を管理するタグ情報管理方法であって、
上記非接触タグに電波を無線送信して該非接触タグを作動させるステップと、
上記非接触タグからタグ情報を読み出すステップと、
上記タグ情報の読み出しを許可する鍵情報をＩＣカードから与えるステップと、
上記鍵情報に基づき上記タグ情報を読み出すステップと、
上記読み出したタグ情報を表示するステップと、
を経て、上記非接触タグのタグ情報を管理することを特徴とするタグ情報管理方法。
【請求項１６】
非接触タグのタグ情報を管理するタグ情報管理方法であって、
上記非接触タグに電波を無線送信して該非接触タグを作動させるステップと、
上記非接触タグからタグ情報を読み出すステップと、
上記タグ情報の読み出しを許可する鍵情報をＩＣカードから与えるステップと、
上記鍵情報を判別するステップと、
上記鍵情報に基づき上記タグ情報を読み出すステップと、
上記読み出したタグ情報を上記ＩＣカードに入力して解読するステップと、
上記解読結果を表示するステップと、
を経て、上記非接触タグのタグ情報を管理することを特徴とするタグ情報管理方法。
【発明の詳細な説明】
【技術分野】
【０００１】
本発明は、非接触タグのタグ情報を管理して物品管理等を行う場合のタグ情報管理技術に係り、特に、セキュリティを高められる技術に関する。
【背景技術】
【０００２】
従来、例えば物品管理を行う場合、管理対象物品に非接触で通信し、各管理対象物品に付けられた固有のＩＤ情報を取得し、該ＩＤ情報を用いて物品管理を行うようにしている。しかし、物品に付けられた非接触タグは、非接触で情報が読み取られるという性格上、第三者も固有のＩＤ情報や物品を示す情報等を読み取ることができてしまい、プライバシーの確保が困難であるという問題がある。このための対策技術としては、例えば、特開２０００−３３９４２０号公報（特許文献１）に記載されたものがある。該公報には、第三者が容易にタグの情報を読み出せないようにするために、非接触タグに記録した暗証番号等の照合データと、外部から入力した照合データとが一致した場合にＩＤを出力するセキュリティ機構を搭載した技術が記載されている。
【０００３】
【特許文献１】特開２０００−３３９４２０号公報
【発明の開示】
【発明が解決しようとする課題】
【０００４】
例えば、上記公報記載の従来技術では、照合データは非接触タグを利用する際に読み取りに使われる外部の機器の内部に保存されており、該機器で扱う非接触タグは総て同じ照合データとなる。このため、システム側である外部の機器は、所有者の許可なしに非接触タグを読み取ることが可能であり、システム全体でのセキュリティは保たれても、プライバシーに対するセキュリティは保たれない。
本発明の課題点は、上記従来技術の状況に鑑み、非接触タグを利用する情報管理技術において、プライバシーに対するセキュリティが確保されるようにすることである。
本発明の目的は、かかる課題点を解決し、安全で有用性の高い非接触タグ情報管理技術を提供することにある。
【課題を解決するための手段】
【０００５】
上記課題点を解決するために、本発明では、非接触タグを用いたタグ情報管理システムにおいて、該非接触タグのタグ情報の読み出しを許可する鍵情報をＩＣカードにもたせ、該ＩＣカードが端末に接続された状態で、上記鍵情報に基づき、上記非接触タグのタグ情報が上記端末によって読み出され、上記ＩＣカードに入力される構成とする。また、ＩＣカードは、入力されたタグ情報を解読するとともに、暗号化する。また、暗号化したタグ情報を記憶する。
具体的には、上記を基本的要件とするタグ情報管理システム、端末、非接触タグ、ＩＣカード及びタグ情報管理方法を、本発明とする。
【発明の効果】
【０００６】
本発明によれば、非接触タグを用いたタグ情報管理システムにおいて、ＩＣカードが許可を与えた場合に限り、非接触タグのタグ情報を読み出せるようにすることができるとともに、解読も可能となる。この結果、プライバシーに対するセキュリティの確保が可能となる。
【発明を実施するための最良の形態】
【０００７】
本発明は、基本的に、非接触タグから読み出した情報を、通常では読み出しできない情報とし、該情報を読み取り可能な情報に復元するための鍵情報をＩＣカードに記録し、ＩＣカードに非接触タグが出力した情報を入力し、内部で復元して出力する。これにより、ＩＣカードを端末に接続することでタグ情報の利用が許可された場合のみ、個人専用の鍵情報で復元したタグ情報が利用できるようにする。
【０００８】
以下、本発明の実施例につき、図面を用いて説明する。
図１は、本発明の実施例としてのタグ情報管理システムの構成例図である。図１において、１０１は、非接触で外部と通信可能なＩＣカードＡ、１０２は、ＩＣカードＡ１０１を所持する人物Ａ、１０３は、人物Ａ１０２が所持する物品としてのタグ付パソコンＡすなわち非接触タグとしてのＩＣタグが貼り付けられたタグ付パソコンＡ、１０４は、人物Ａ１０２とは他の人物である人物Ｂ、１０５は、人物Ｂ１０４が所持する物品としてタグ付パソコンＢすなわち非接触タグとしてのＩＣタグが貼り付けられたタグ付パソコンＢ、１０６は、人物Ｂ１０４が所持する非接触で外部と通信可能なＩＣカードＢ、１０７は、人物Ａ１０２が通過しようとするゲートを構成し、非接触でＩＣカードとデータのやり取りが可能な端末としてのＩＣカードリーダライタＡ、１０８は、人物Ｂ１０４が通過しようとするゲートを構成し、非接触でＩＣカードとデータのやり取りが可能な端末としてのＩＣカードリーダライタＢ、１０９は、ＩＣカードリーダライタＡ１０７とＩＣカードリーダライタＢ１０８が接続され、内部に中央演算装置を有し、内部のプログラムにより機器や情報の制御をする端末としての情報処理装置、１１０は、情報処理装置１０９により処理された情報を出力表示する情報表示装置、１１１は、情報処理装置１０９に接続され、該情報処理装置１０９に対しＩＣタグの情報を伝達する端末としてのタグリーダ、１１２は、タグリーダ１１１に接続され、タグリーダ１１１で形成した信号による電波をＩＣタグに向けて発射するとともに、ＩＣタグからの応答信号を受信するアンテナ、１１３は、アンテナ１１２を保持した回転軸、１１４は、回転軸１１３の中心軸に沿って回転軸１１３を回転させる回転機構、１１５は、情報処理装置１０９に画像情報を入力するカメラ、１１６は、カメラに画像を結像するためのレンズ、１１７は、情報処理装置１０９の操作者に対し音声情報を出力する音声出力装置、１１８は、情報処理装置１０９にデータを登録する端末としての持出し登録装置である。
【０００９】
図２は、本発明の持出し登録装置１１８の構成例図である。図１の構成と同じものには同じ符号を付す。図２において、２０１は、非接触ＩＣカードとデータ送受信可能な登録ＩＣカードリーダライタ、２０２は、内部に中央演算装置を持ち、内部のメモリ装置等にプログラムを有し、登録ＩＣカードリーダライタ２０１とデータをやり取りし、情報の制御を行う登録情報処理装置、２０３は、登録情報処理装置２０２の内部のメモリ装置に記録されたデータベースである登録ＤＢ、２０４は、ＩＣタグの情報を読み書き可能な登録タグリーダライタ、２０５は、持出し登録装置の操作者が情報を得たり入力したりするための入力装置、２０６は、外部の情報処理装置１０９と情報のやり取りを行う伝送線路であるデータ接続線である。
【００１０】
図３は、回転機構１１４の構成を示す構成図である。図１の構成と同じものには同じ符号を付す。図３において、３０１は、回転軸に連結されて回転させる回転軸歯車、３０２は、回転軸歯車３０１と連接し回転軸歯車３０１を回転する駆動歯車、３０３は、駆動歯車３０２を回転駆動するためのモータ、３０４は、回転軸歯車３０４と連接し、回転軸１１３の回転角度に応じて回転角が変わる検出器歯車、３０５は、検出器歯車３０４の回転による回転角度を検出する回転角度検出器、３０６は、回転角度検出器３０５の検出した回転角度を検出し、タグリーダ１１１を介して情報処理装置１０９より指示された所望の回転角度に制御する制御回路、３０７は、制御回路３０６による制御信号によりモータ３０３を回転するモータ駆動回路であり、制御回路により、回転軸１１３の回転角度が、情報処理装置１０９より指示された回転角度となるようにモータ３０３を回転駆動する構成である。
【００１１】
図４は、タグ付パソコンＡ１０３及びタグ付パソコンＢ１０５の構成例図である。図１の構成と同じものには同じ符号を付す。図４において、４０１は、パソコン、４０２は、パソコン４０１の表面に張られ、パソコン４０１の構成部材に起因する電磁波的影響などを低減するための磁性体、４０３は、磁性体４０２上に貼られたタグ、４０４は、タグ４０３を構成する半導体であるタグＩＣチップ、４０５は、タグＩＣチップ４０４に接続されたタグアンテナであり、本実施例では、通信距離が５ｍ程度とするために、ＵＨＦ帯域である９００ＭＨｚに動作周波数を合わせてある。パソコン４０１は、一体となったタグ４０３により、５ｍ程度離れた場所から貼付されたタグの内容を読み出すことが可能な構成である。
【００１２】
図５は、上記図４に示したタグ４０３の構成例図である。図５において、４０３はタグ、４０４はタグＩＣチップ、４０５はタグアンテナ、４０４ａは、タグＩＣチップ４０４内の電力生成手段、４０４ｂは同じく情報受信手段、４０４ｃは同じく演算処理手段、４０４ｄは同じく情報記憶メモリ、４０４ｅは同じく情報送信手段である。電力生成手段４０４ａは、アンテナ１１２を介しタグリーダ１１１から無線送信される電波を、タグアンテナ４０５を介して受け、これに基づき、タグＩＣチップ４０４の電源電力を生成する。情報受信手段４０４ｂは、タグリーダ１１１側から、アンテナ１１２、タグアンテナ４０５を介し、指示情報信号を受信する。演算処理手段４０４ｃは、上記情報受信手段４０４ｂからの出力に応じ演算処理を行い、情報記憶メモリ４０４ｄに対し、記憶されたタグ情報の読み出しまたは書き換え用の新たなタグ情報の供給を行う。情報記憶メモリ４０４ｄは、タグ情報や書き換え用の新たなタグ情報を記憶する。情報送信手段４０４ｅは、演算処理手段４０４ｃが情報記憶メモリ４０４ｄから読み出したタグ情報を、タグアンテナ４０５及びアンテナ１１２を介し、タグリーダ１１１側に送信する。上記構成により、タグ４０３は、記憶されているタグ情報の読み出しと、書き換え用の新たなタグ情報の書き込みとが可能である。
【００１３】
図６は、本発明の実施例のアンテナ１１２の指向特性を現す特性図である。図１の構成と同じものには同じ符号を付す。図６において、５０１は、アンテナ１１２の指向特性を現す指向性。５０２は、指向性から最大の感度を有する点からの電力が半分となる点を結んだ線の成す角である半値角である。本実施例では、半値角５０２は２５゜としてある。
【００１４】
図７は、本発明の実施例のタグ４０３からアンテナ１１２を介して読み出せるタグのＩＤ情報を示す符号構成図である。図７において、６０１は、ＩＤ情報の一部を構成するビット１、６０２は、ＩＤ情報の他の一部を構成するビット２、６０３は、ＩＤ情報のさらに他の一部を構成するビットｎ、６０４は、さらに他の情報として任意に定義される識別番号、６０５は、これら情報と併せ定義された暗号化されたタグＩＤである。
【００１５】
図８は、ＩＣカードＡ１０１やＩＣカードＢ１０６の構成例図である。図８において、７０１はＩＣカード、７０２は、ＩＣカード７０１の内部でプログラムに従った演算処理を行う中央演算装置、７０３は、中央演算装置７０２の内部で暗号データの生成を行う暗号化手段としてのタグ暗号データ生成手段、７０４は、中央演算装置７０２の内部で暗号データの解読を行う解読手段としてのタグ暗号データ解読手段、７０５は、中央演算装置７０２に接続され、プログラムや演算に用いられるデータを蓄える記憶手段としてのメモリ、７０６は、メモリ７０５の内部に記録され、タグ暗号データ生成手段７０３やタグ暗号データ解読手段７０４により読み出されて利用される鍵情報としてのタグ暗号鍵、７０７は、中央演算装置７０２と外部機器との間でデータのやり取りを行うためのインターフェース部としての外部接続部であり、ＩＣカードリーダＡ１０７や、ＩＣカードリーダＢ１０８や、登録ＩＣカードリーダライタ２０１などと非接触通信によるデータのやり取りが可能な構成を有する。ＩＣカードＡ１０１とＩＣカードＢ１０６とは、ＩＣカード７０１の内部に記録されたタグ暗号７０６やその他の情報は互いに異なるが、ハード構成は同じである。
【００１６】
以下、本実施例の動作を、図９を用いて説明する。図９は、タグ４０３、登録情報処理装置２０２、ＩＣカード７０１の間で、やり取りされるデータを示したデータフロー図である。ＩＣカード７０１には予め、タグ暗号鍵７０６が記録されているものとする。利用者がタグ４０３の貼付されたパソコン４０１を持ち出す際、事前に持出し登録装置１１８の登録用ＩＣカードリーダライタ２０１にＩＣカード７０１をかざし、タグ４０３を登録タグリーダライタ２０４で読み書き可能とした状態である。この状態で、持ち出し機器としてパソコン４０１を登録する際、登録情報処理装置２０２は、ステップ８０１でタグＩＤをタグ４０３から読み出す。読み取ったタグＩＤに対し、別に取得した持出し者の情報や持ち出し時間等の付随情報とあわせて登録ＤＢ２０３に記録する。この後、登録情報処理装置２０２では、ＩＣカード７０１に取得したタグＩＤをステップ８０２で入力する。ＩＣカード７０１では、入力されたタグＩＤを内部のタグ暗号鍵７０６とタグ暗号データ生成機能７０３を用いて暗号化する。さらに、タグＩＤにあわせて個別の番号を付与し、これを入力された情報であるタグＩＤ等に必要な情報といっしょにメモリ７０５に記録するとともに、ステップ８０３において識別番号として出力する。暗号化したタグＩＤもステップ８０３で暗号化されたタグＩＤとして出力される。登録情報処理装置２０２では、ＩＣカード７０１から受け取った識別番号と暗号化されたタグＩＤをステップ８０４でタグ４０３に書き込む。なお、上記動作説明ではタグＩＤをそのまま暗号化しているが、この他、タグ４０３が内部で生成した乱数と組み合わせたデータとして暗号化し、毎回ランダムに変化するようにしてもよい。
【００１７】
本実施例の動作を、さらに図１０を用いて説明する。図１０は、既に識別番号と暗号化されたタグＩＤが記録されているタグ４０３、情報処理装置１０９、ＩＣカード７０１の間で、やり取りされるデータを示すフロー図である。図１に示したアンテナ１１２、タグリーダ１１１を介して取得したタグ４０３の情報とゲートを構成するＩＣカードリーダライタＡ１０７やＩＣカードリーダライタＢ１０８を介してＩＣカード７０１とやり取りするデータを示す。例えば、ゲートに近づいた人物Ａ１０２は、アンテナ１１２により所持するタグ付パソコンＡ１０３に貼付されたタグを電波により補足する。補足したタグの情報として、タグリーダ１１１が既に書き込まれた識別番号と暗号化されたタグＩＤをステップ９０１で読み出す。その後、人物Ａ１０２が、ＩＣカードＡ１０１をＩＣカードリーダライタＡ１０７にかざすと、情報処理装置１０９は識別番号読出しコマンドをＩＣカード７０１にステップ９０２で送出する。ＩＣカード７０１は、ステップ９０３で、内部に記録した識別番号を出力する。情報処理装置１０９は予めタグ４０３から読み取った識別番号に合致した暗号化されたタグＩＤをステップ９０４でＩＣカード７０１に入力する。ＩＣカード７０１は、内部のタグ暗号鍵７０６とタグ暗号データ解読機能７０４を用いて、入力された暗号化されたタグＩＤを複合し、タグＩＤと、さらに付随して内部に記録されている情報をステップ９０５で出力する。情報処理装置１０９は、登録ＤＢ２０３に登録された機器の持つタグＩＤと、所持者である人物Ａ１０２の情報としてＩＣカードから別途読み出したＩＣカードＡ１０１の例えばカード番号とを照合し、持出しのための登録がなされていることを確認する動作を行う。
【００１８】
図１１は、アンテナ１１２の半値角５０２とカメラ１１５とレンズ１１６で撮像可能な範囲である水平方向の撮影画角１００１を示す図である。本例の場合、カメラ１１５とレンズ１１６による水平方向の撮影画角は約７５゜としている。アンテナ１１２は、回転角１００２で回転軸１１２に沿って回転する。回転角１００２は、制御回路３０６によってその停止位置が制御されている。
【００１９】
図１２は、アンテナ１１２の半値角５０２の中心位置の回転角と停止位置に対する水平方向の撮影画角１００１の関係を示す図である。本例の場合、カメラ１１５とレンズ１１６による水平方向の撮影画角は約７５゜であるのに対し、アンテナ１１２の半値角は２５゜であり、図中で最も左端側の位置に停止した状態で、撮影画角の左端から１２．５゜の位置である停止位置Ａ１１０２に、アンテナ１１２の半値角の中心が位置するように設定されている。ここから、約１６．７゜刻みで撮影画角の範囲１１０１に対してアンテナ１１２を回転して行く。まず、アンテナ１１２は、撮影画角の左端から２９．２゜の位置である停止位置Ｂ１１０３に停止する。次に、アンテナ１１２は、撮影画角の左端から４５．９゜の位置である停止位置Ｃ１１０４に停止する。その後、アンテナ１１２は、撮影画角の左端から６２．５゜の位置である停止位置Ｄ１１０５に停止する。停止位置Ａ１１０２では、アンテナ１１２の半値角は停止位置の両側に１２．５゜ずつ存在しており、この範囲１１０６にあるタグのデータを検出可能である。同様に、停止位置Ｂでのタグ検出範囲１１０７、停止位置Ｃでのタグ検出範囲１１０９、停止位置Ｄでのタグ検出範囲１１１０は、それぞれ停止位置の両側に１２．５゜ずつとされている。各検出範囲は、相互に交わった範囲を有する。例えば、停止位置Ａでのタグ検出範囲１１０６と停止位置Ｂでのタグ検出範囲１１０７では、停止位置Ａと停止位置Ｂのタグ検出範囲の重なり１１０８として８．３゜分に相当する角だけタグの検出範囲が重なる。同様に、停止位置Ｂ１１０３と停止位置Ｃ１１０４の間や停止位置Ｃ１１０４と停止位置Ｄ１１０５の間にも同様に重なりが存在する。
【００２０】
図１３は、カメラ１１５で撮影した画像情報に、タグの検出結果とＩＣカードから読み取った情報の照合結果の画像情報を組合わせて、情報処理装置１０９が情報表示装置１１０に出力した画面の図である。画面１２０１には、ゲートを通過する人物Ａ１０２と人物Ｂ１０４が所持品とともに表示されている。このとき、所持品であるタグ付パソコンＡ１０３とタグ付パソコンＢ１０５は、それぞれアンテナ１１２が回転しながら補足した貼付されたタグをタグリーダライタが読み取り、各々の識別番号と暗号化されたタグＩＤを取得する。その後、人物Ａ１０２や人物Ｂ１０４がゲートに設置されたＩＣカードリーダに所持するＩＣカードをかざすと各タグの持つタグＩＤが複合されて、情報処理装置１０９に伝えられる。情報処理装置１０９は、得たタグＩＤを持出し登録装置１１８の登録ＤＢ２０３に問い合わせ、該当するタグＩＤと持ち出し者に関する情報と、人物の持つＩＣカードとタグＩＤが各々一致することを確認する。確認できた後、タグＩＤ Ａ１２０２やタグＩＤ Ｂ１２０３として画面１２０１に表示する。その際、表示位置は、アンテナ１１２の回転した際にいずれかの停止位置にアンテナがあるときに補足した場合は、停止位置の中心にポインタとして表示する。本図１３では、タグＩＤ Ａが停止位置Ｂ１１０３にアンテナ１１２があるときにのみ、タグＩＤを検出することができるため、停止位置Ｂ１１０３の中心にポインタＡ１２０４を表示する。また、２つのアンテナ停止位置でタグＩＤを検出することができた場合は、各停止位置のタグ検出範囲の重なりの中心位置にポインタを表示する。本図１３では、タグＩＤ Ｂが停止位置Ｃ１１０４と停止位置Ｄ１１０５にアンテナ１１２があるときにタグＩＤが検出することができるため、停止位置Ｃ１１０４と停止位置Ｄ１１０５のタグ検出範囲の重なりの中心にポインタＢ１２０５を表示する
図１４は、上記図１３の場合と同様に、カメラ１１５で撮影した画像に、タグの検出結果とＩＣカードから読み取った情報の照合結果を示す画像情報を組合わせて、情報処理装置１０９が情報表示装置１１０に出力した画面の図である。画面１２０１には、図１３と同様に、ゲートを通過する人物Ａ１０２と人物Ｂ１０４が所持品とともに表示されている。人物Ａ１０２が所持するタグ付パソコン１０３が、予め持出し登録装置１１８により登録ＤＢ２０３に登録されていない場合、情報処理装置１０９は、得たタグＩＤを持出し登録装置１１８の登録ＤＢ２０３に問い合わせ、該当するタグＩＤと持ち出し者に関する情報と、人物の持つＩＣカードとタグＩＤが各々一致することを確認できないこととなる。この場合、画面１２０１には警告表示１３０１を表示し、併せて、音声出力装置１１７より警告音１３０２を発し、情報表示装置１１０の監視者に照合が取れなかったことを通知する。
【００２１】
以上述べたように、本実施例では、アンテナを回転させ、タグＩＤの読出し位置を変えながら検出することで、タグＩＤの位置を検出することができる。また、一基のアンテナで複数のタグＩＤの位置を検出することができるため、タグリーダは一基でもよい。また、登録ＤＢとの照合を行った結果を、画面に表示するとともに、音声情報としても出力するため、特に監視用の用途においては、監視をし易くなる。また、アンテナの停止位置の中心かアンテナの持つ検出が重なった範囲の中心を検出したタグの位置として処理することでタグの位置を容易に表示することができる。さらに、タグから読み出す情報に暗号化された情報であることを示すビットを設けることで読み出したタグの情報が暗号化されているか否かを容易に判断することができる。これらにより、本実施例では、プライバシーに対するセキュリティが確保される。なお、本実施例の場合、タグ４０３からタグＩＤを得る場合、事前に何らかの照合情報を必要とはしないが、特別な照合情報を設け、該該照合情報をタグに入力した後、タグ内部で該照合情報を照合し、タグ内部に記録された照合情報との一致が確認された場合のみ、タグＩＤを出すようにしてもよい。さらに、該照合情報をＩＣカードに記録し、ＩＣカードリーダライタ経由で情報処理装置１０９が毎回この照合情報を得るようにすることで、より一層容易に、プライバシーに対するセキュリティを確保することができる。
【００２２】
また、非接触タグを商品に貼り付けて、清算時に一括して決済するようなシステムにおいて、ＩＣカードによる決済と併せ、非接触タグの情報を書き換えることで個人の所有物となった時点で所有者のＩＣカードに合致させることができる。また、ＩＣカードは、非接触式のものに限らず、接触式のものであってもよい。
【図面の簡単な説明】
【００２３】
【図１】本発明の実施例としてのタグ情報管理システムの構成例図である。
【図２】持出し登録装置の構成例図である。
【図３】回転機構の構成例図である。
【図４】タグを付されて管理されるパソコンの構成例図である。
【図５】タグの構成例図である。
【図６】アンテナの指向特性の説明図である。
【図７】ＩＤ情報を示す符号構成図である。
【図８】ＩＣカードの構成例図である。
【図９】タグ、登録情報処理装置、ＩＣカード間のデータのやり取りを示す図である。
【図１０】タグ、情報処理装置、ＩＣカード間のデータのやり取りを示す図である。
【図１１】アンテナの半値角と水平方向の撮影画角を示す図である。
【図１２】アンテナの半値角の中心位置の回転角と停止位置に対する水平方向の撮影画角の関係を示す図である。
【図１３】カメラの撮像画像とタグの検出結果を表示した画面図である。
【図１４】カメラの撮像画像とタグの検出結果を表示した画面図である。
【符号の説明】
【００２４】
１０１、１０６…ＩＣカード、
１０７、１０８…ＩＣカードリーダライタ、
１１１…タグリーダ、
１１２…アンテナ、
１１８…持出し登録装置、
４０３…タグ、
４０４…タグＩＣチップ、
４０５…タグアンテナ、
４０４ａ…電力生成手段、
４０４ｂ…情報受信手段、
４０４ｃ…演算処理手段、
４０４ｄ…情報記憶メモリ、
４０４ｅ…情報送信手段、
６０１…暗号化データビット、
７０１…ＩＣカード、
７０３…タグ暗号データ生成手段、
７０４…タグ暗号データ解読手段、
７０６…タグ暗号鍵。
【図１】
2006164019.tif 000003
【図２】
2006164019.tif 000004
【図３】
2006164019.tif 000005
【図４】
2006164019.tif 000006
【図５】
2006164019.tif 000007
【図６】
2006164019.tif 000008
【図７】
2006164019.tif 000009
【図８】
2006164019.tif 000010
【図９】
2006164019.tif 000011
【図１０】
2006164019.tif 000012
【図１１】
2006164019.tif 000013
【図１２】
2006164019.tif 000014
【図１３】
2006164019.tif 000015
【図１４】
2006164019.tif 000016